(57)【要約】【課題】ハンドルをオン位置に回転させるだけで自動的にハンドルをオン位置にロックすることが可能な回路遮断器を提供する。【解決手段】ハンドル２の本体１０に形成された係止部１２と、本体１０に対向させた形で配置されかつ本体１０の方向に付勢されてハンドル２をオフ位置からオン位置に回動させる際係止部１２が乗り越え可能であって係止部１２が乗り越えた状態で係止するハンドル係止部材１５と、器体１外から操作可能に配置されハンドル係止部材１５をその付勢力に逆らって係止部１２の係止状態を解除する方向に駆動する解除部材１６と、引外し部材３９に設けられてハンドル係止部材１５をその付勢力に逆らって係止部１２との係止状態を解除する方向に駆動する駆動部５０とを有する。【選択図】        図１
2005209510.tif 000002
【特許請求の範囲】
【請求項１】
器体と、器体内に回動自在に保持される本体を有しこの本体に連設されて器体表面から外部に突出する把手を有したハンドルと、このハンドルにリンクを介して連結されたラッチ部材と、このラッチ部材の一部を係止するラッチ部を有して器体内に支持された引外し部材と、この引外し部材にラッチ部材の一部がラッチされた状態で前記ハンドルの回動操作によって開閉駆動される接点を有する可動体と、前記接点の閉極状態で前記接点に異常電流が流れると前記ラッチ部材をラッチ状態から解除する方向に駆動する異常電流検出装置と、前記ラッチ部材のラッチ状態が解除されたときに前記可動体を接点開極方向に付勢する付勢手段とを備え、前記ハンドルがオフ方向にばねにより付勢され、前記接点に異常電流が流れると前記引外し部材により前記ラッチ部材のラッチ状態を解除してして前記接点を強制開極するとともに、前記ハンドルのオフ方向への付勢力によって前記ハンドルをオンオフ間の中立位置に位置させるようにした回路遮断器において、
前記ハンドルの本体に形成された係止部と、
前記ハンドルの前記本体に対向させた形で配置されかつ前記ハンドルの前記本体の方向に付勢されて前記ハンドルをオフ位置からオン位置に回動させる際前記係止部が乗り越え可能であって前記係止部が乗り越えた状態で前記ハンドルを前記オン位置から前記オフ位置へ回動する際に係止するハンドル係止部材と、
前記器体外から操作可能に配置され前記ハンドル係止部材をその付勢力に逆らって前記係止部の係止状態を解除する方向に駆動する解除部材と、
前記引外し部材に設けられて前記異常電流検出装置によって駆動されたときに前記ハンドル係止部材をその付勢力に逆らって前記係止部との係止状態を解除する方向に駆動する駆動部とを有することを特徴とする回路遮断器。
【請求項２】
前記係止部は前記本体に突設形成され、前記ハンドル係止部材は、前記ハンドルを回動させた際にその先端が前記本体のうち前記係止部のみに当接し得る位置で前記器体に係止する請求項１記載の回路遮断器。
【請求項３】
器体と、器体内に回動自在に保持される本体を有しこの本体に連設されて器体表面から外部に突出する把手を有したハンドルと、このハンドルにリンクを介して連結されたラッチ部材と、このラッチ部材の一部を係止するラッチ部を有して器体内に支持された引外し部材と、この引外し部材にラッチ部材の一部がラッチされた状態で前記ハンドルの回動操作によって開閉駆動される接点を有する可動体と、前記接点の閉極状態で前記接点に異常電流が流れると前記ラッチ部材をラッチ状態から解除する方向に駆動する異常電流検出装置と、前記ラッチ部材のラッチ状態が解除されたときに前記可動体を接点開極方向に付勢する付勢手段とを備え、前記ハンドルがオフ方向にばねにより付勢され、前記接点に異常電流が流れると前記引外し部材により前記ラッチ部材のラッチ状態を解除してして前記接点を強制開極するとともに、前記ハンドルのオフ方向への付勢力によって前記ハンドルをオンオフ間の中立位置に位置させるようにした回路遮断器において、
前記ハンドルの本体に形成された係止部と、
前記ハンドルの前記本体に対向させた形で配置されかつ前記ハンドルの前記本体の方向に付勢されて前記ハンドルをオフ位置からオン位置に回動させる際前記係止部が乗り越え可能であって前記係止部が乗り越えた状態で前記ハンドルを前記オン位置から前記オフ位置へ回動する際に係止するハンドル係止部材と、
前記器体外から操作可能に配置され前記ハンドル係止部材をその付勢力に逆らって前記係止部の係止状態を解除する方向に駆動する解除部材と、
前記器体に回動自在に支持されて回動支点よりも一方側に前記解除部材を連結するとともに前記回動支点よりも他方側に前記可動体を連結し、前記可動体が接点開極位置にあるときに前記解除部材を介して前記ハンドル係止部材をその付勢力に逆らって前記係止部との係止状態解除方向に駆動する回転体とを有することを特徴とする回路遮断器。
【請求項４】
前記解除部材は、前記器体の上面から外部に突出する形で付勢された状態で前記器体の上下方向に移動自在に配設され、前記解除部材をその付勢力に逆らって前記器体内に移動させたときに前記ハンドル係止部材を前記ハンドルの本体から離れる方向に駆動し、前記解除部材と前記回転体とを連結体で連結してあり、
前記解除部材および前記回転体の一方に、前記解除部材を器体内方向に押圧操作した際、前記回転体が回転しない位置まで前記連結体を遊挿する遊挿孔を形成した請求項３記載の回路遮断器。
【発明の詳細な説明】
【技術分野】
【０００１】
本発明は、例えばオン状態において、ハンドルのオフ方向への回動操作をロックできるハンドルロック機構付ブレーカ等の回路遮断器に関するものである。
【背景技術】
【０００２】
第１の従来例として、特許文献１に示すものが存在する。このものは、オン状態にあるハンドルにハンドルロックを被せることでハンドルをオフ方向に回転できないようにしたものである。また、このものは、オフ状態にあるハンドルにハンドルロックを被せることでハンドルをオン方向に回転できないようにすることもできる。
【０００３】
第２の従来例として、特許文献２に示すものが存在する。このものは、ハンドルをオンまたはオフ位置に移動させた後、操作スイッチを操作して、操作スイッチの一部をハンドルの端部に係合させることで、ハンドルをオフまたはオン位置に回転できないようにしたものである。
【特許文献１】特開平７−２２０６０９号公報
【特許文献２】特開２００１−１１０２９４号公報
【発明の開示】
【発明が解決しようとする課題】
【０００４】
第１の従来例にあっては、ハンドルロック自体がハンドルに着脱式であるので、ハンドルロックを紛失してしまう恐れがあった。
【０００５】
また第１の従来例および第２の従来例は、ハンドルをオン位置でロックする際、ともにハンドルをオン位置に操作し、その状態でハンドルロックを被せたり操作スイッチを操作したりする必要があった。したがって、従来は、オンロックする場合、ハンドルを回動させた後、ハンドルロック部材を操作してロックしており、煩わしいという欠点があった。
【０００６】
本発明は、上記課題に鑑みて発明されたものであり、その目的は、ハンドルをオン位置に回転させるだけで自動的にハンドルをオン位置にロックすることが可能な回路遮断器を提供することにある。
【課題を解決するための手段】
【０００７】
この発明の回路遮断器は、器体と、器体内に回動自在に保持される本体を有しこの本体に連設されて器体表面から外部に突出する把手を有したハンドルと、このハンドルにリンクを介して連結されたラッチ部材と、このラッチ部材の一部を係止するラッチ部を有して器体内に支持された引外し部材と、この引外し部材にラッチ部材の一部がラッチされた状態で前記ハンドルの回動操作によって開閉駆動される接点を有する可動体と、前記接点の閉極状態で前記接点に異常電流が流れると前記ラッチ部材をラッチ状態から解除する方向に駆動する異常電流検出装置と、前記ラッチ部材のラッチ状態が解除されたときに前記可動体を接点開極方向に付勢する付勢手段とを備え、前記ハンドルがオフ方向にばねにより付勢され、前記接点に異常電流が流れると前記引外し部材により前記ラッチ部材のラッチ状態を解除してして前記接点を強制開極するとともに、前記ハンドルのオフ方向への付勢力によって前記ハンドルをオンオフ間の中立位置に位置させるようにした回路遮断器において、
前記ハンドルの本体に形成された係止部と、
前記ハンドルの前記本体に対向させた形で配置されかつ前記ハンドルの前記本体の方向に付勢されて前記ハンドルをオフ位置からオン位置に回動させる際前記係止部が乗り越え可能であって前記係止部が乗り越えた状態で前記ハンドルを前記オン位置から前記オフ位置へ回動する際に係止するハンドル係止部材と、
前記器体外から操作可能に配置され前記ハンドル係止部材をその付勢力に逆らって前記係止部の係止状態を解除する方向に駆動する解除部材と、
前記引外し部材に設けられて前記異常電流検出装置によって駆動されたときに前記ハンドル係止部材をその付勢力に逆らって前記係止部との係止状態を解除する方向に駆動する駆動部とを有することを特徴とするものである。
【０００８】
上記構成において、前記係止部は前記本体に突設形成され、前記ハンドル係止部材は、前記ハンドルを回動させた際にその先端が前記本体のうち前記係止部のみに当接し得る位置で前記器体に係止する。
【０００９】
この発明の別の回路遮断器は、器体と、器体内に回動自在に保持される本体を有しこの本体に連設されて器体表面から外部に突出する把手を有したハンドルと、このハンドルにリンクを介して連結されたラッチ部材と、このラッチ部材の一部を係止するラッチ部を有して器体内に支持された引外し部材と、この引外し部材にラッチ部材の一部がラッチされた状態で前記ハンドルの回動操作によって開閉駆動される接点を有する可動体と、前記接点の閉極状態で前記接点に異常電流が流れると前記ラッチ部材をラッチ状態から解除する方向に駆動する異常電流検出装置と、前記ラッチ部材のラッチ状態が解除されたときに前記可動体を接点開極方向に付勢する付勢手段とを備え、前記ハンドルがオフ方向にばねにより付勢され、前記接点に異常電流が流れると前記引外し部材により前記ラッチ部材のラッチ状態を解除してして前記接点を強制開極するとともに、前記ハンドルのオフ方向への付勢力によって前記ハンドルをオンオフ間の中立位置に位置させるようにした回路遮断器において、
前記ハンドルの本体に形成された係止部と、
前記ハンドルの前記本体に対向させた形で配置されかつ前記ハンドルの前記本体の方向に付勢されて前記ハンドルをオフ位置からオン位置に回動させる際前記係止部が乗り越え可能であって前記係止部が乗り越えた状態で前記ハンドルを前記オン位置から前記オフ位置へ回動する際に係止するハンドル係止部材と、
前記器体外から操作可能に配置され前記ハンドル係止部材をその付勢力に逆らって前記係止部の係止状態を解除する方向に駆動する解除部材と、
前記器体に回動自在に支持されて回動支点よりも一方側に前記解除部材を連結するとともに前記回動支点よりも他方側に前記可動体を連結し、前記可動体が接点開極位置にあるときに前記解除部材を介して前記ハンドル係止部材をその付勢力に逆らって前記係止部との係止状態解除方向に駆動する回転体とを有することを特徴とするものである。
【００１０】
上記構成において、前記解除部材は、前記器体の上面から外部に突出する形で付勢された状態で前記器体の上下方向に移動自在に配設され、前記解除部材をその付勢力に逆らって前記器体内に移動させたときに前記ハンドル係止部材を前記ハンドルの本体から離れる方向に駆動し、前記解除部材と前記回転体とを連結体で連結してあり、
前記解除部材および前記回転体の一方に、前記解除部材を器体内方向に押圧操作した際、前記回転体が回転しない位置まで前記連結体を遊挿する遊挿孔を形成したものである。
【発明の効果】
【００１１】
この発明の回路遮断器によれば、ハンドルをオフ位置からオン位置に回動させるだけで、係止部がハンドル係止部を乗り越えるため、ハンドルをオン位置に操作性よくロックさせることができる。また、ロックの解除は、解除部材を介してハンドル係止部材の先端から係止部の係止状態を解除し、その状態でハンドルをオフ位置に回転させれば良い。さらに、異常電流が流れて接点が強制開極された際、駆動部によってハンドル係止部材が係止部の係止状態を解除する方向に移動するので、ハンドルがオンオフの中立位置に移動し、トリップ状態を表示することができる。
【００１２】
ハンドル係止部材は本体の係止部のみに当接し得る位置で器体に係止するため、ハンドルを回転させる際、ハンドル係止部材の先端がハンドルのうち係止部以外に全く当接せず、ハンドルをスムーズに回転させることができる。
【００１３】
また、接点が開極状態のときに、回転体によりハンドル係止部材が係止部の係止状態を解除する方向に移動するので、異常電流検出時のトリップ時に、ハンドルがオンオフの中立位置に移動し、トリップ状態を表示することができる。
【００１４】
解除部材が器体の上下方向に移動自在に配設されたため、解除部材を付勢力に逆らって器体内に押圧するだけでハンドル係止部材を移動させて係止部の係止状態を解除できる。
解除部材と回転体を遊挿孔を介して連結体により連結しているため、解除部材を器体内方向に押圧しても可動体例えばクロスバーを駆動することがないので、クロスバーを回転させる荷重が加わらず、ハンドル係止部材を簡単に駆動することができる。
【発明を実施するための最良の形態】
【００１５】
この発明の第１の実施の形態を図１から図３により説明する。すなわち、この回路遮断器は、器体１と、ハンドル２と、開閉・トリップ機構３と、ハンドル係止部材１５と、解除部材１６を有する。
【００１６】
器体１は、両端部に端子４、５を有し、内部の端子４、５間に端子５に接続された固定接点６、固定接点６に接離する可動接点７を有する可動接触子８、可動接触子８に接続された可撓電線９、過大な電流を検出するための異常電流検出装置２０等が配置され、可撓電線９が電流検出手段２０等を介して端子４に接続され、これらにより内部電路を構成している。
【００１７】
ハンドル２は、器体１内に回動自在に保持される本体１０を有し、この本体１０に連設されて器体１のハンドル穴２１を通して上面から外部に突出する把手１１を有し、本体１０の外周面に係止部１２を形成している。実施の形態では、本体１０の中心が軸１３により器体１に軸支され、ハンドル復帰ばね１４によりオフ方向に付勢されている。係止部１２は、本体１０の外周面の所定位置に突設形成され、後述のようにハンドル２をオフ位置からオン位置に回動させる際に、ハンドル係止部材１５を押してハンドル係止部材１５の先端を乗り越えるものである。
【００１８】
開閉・トリップ機構３は、ハンドル２と、このハンドル２にリンク３６を介して連結されたラッチ部材３５と、このラッチ部材３５の一部を係止するラッチ部３７を有して器体１内に軸３８により回動自在に支持された引外し部材３９と、この引外し部材３９にラッチ部材３５の一部がラッチされた状態でハンドル２の回動操作によって開閉駆動される可動接点７を有する可動体例えばクロスバー４０と、可動接点７の閉極状態で可動接点７に異常電流が流れるとラッチ部材３５をラッチ状態から解除する方向に引外し部材３９を駆動する異常電流検出装置２０と、ラッチ部材３５のラッチ状態が解除されたときにクロスバー４０を接点開極方向に付勢する例えばばねを用いた付勢手段４１とで構成されている。この構成により、可動接点７に異常電流が流れるとラッチ部材３５のラッチ状態を解除して可動接点７を強制開極するとともに、ラッチ部材３５とリンク３６で連結されたハンドル２のオフ方向への付勢力によってハンドル２をオンオフ間の中立位置に位置させることができる。
【００１９】
実施の形態において、クロスバー４０は軸４０ａを中心に回動可能であり、可動接点７を先端に設けた可動接触子８の後端部を保持し、接点圧ばね４２で固定接点６に向けて付勢されている。したがって、ハンドル２のオンオフ操作により可動接点７を固定接点６に対して開閉駆動するとともに可動接点７と固定接点６の閉極時に異常電流が流れると上記のように可動接触子８を強制開極する。
【００２０】
ハンドル係止部材１５は、本体１０に先端を対向させた形で本体１０に対して進退可能に配置され、かつ、本体１０に接近する方向に付勢されてハンドル２のオン位置で係止部１２に係止して、ハンドル２のオフ方向への回動を阻止するものである。実施の形態では、器体１内において軸１３に直交する方向にガイド凹部２２を設け、ガイド凹部２２にハンドル係止部材１５を移動自在に収納し、かつハンドル係止部材１５の後端部とガイド凹部２２の内端との間に圧縮コイルばねを用いたばね２３を介在して、ハンドル係止部材１５の先端を本体１０に接近する方向に付勢している。この場合、ハンドル２を回転させた際にハンドル係止部材１５の先端が本体１０のうち係止部１２のみに当接し得る位置で器体１に係止するように、器体１にストッパ部２４を設け、ハンドル係止部材１５の先端側部に設けた係合部２５が係止する。
【００２１】
ここで、係止部１２は、ハンドル２をオフ位置からオン位置に回動させる際に、ハンドル係止部材１５を押してハンドル係止部材１５の先端を乗り越えるもので、乗り越えやすくするため、ハンドル係止部材１５の先端が先細となる形に、先端面を一方側面が徐々に接近する、ハンドル２のオフ位置の係止部１２に向く、傾斜面２６に形成し、ハンドル２をオフ位置からオン位置へ回動する際に係止部１２が傾斜面２６に当接しばね２３に抗してハンドル係止部材１５を後退させて乗り越える。
【００２２】
解除部材１６は、器体１外から操作可能に器体１に配設されてハンドル係止部材１５をその付勢力に逆らって本体１０の係止部１２から離れる方向に駆動するものである。実施の形態では、器体１のハンドル２に隣接して器体１の上面に開口した解除部材収納部２７が設けられ、これに解除部材１６が上下移動自在に収納されている。解除部材１６は収納部２７内でばね２８によりハンドル突出方向に器体１の上面から外部に突出する形で付勢されている。下端面２９はテーパが付いており、ハンドル係止部材１５の後端部に設けた、テーパの付いた受け部３０に対向し、解除部材１６の上端部をばね２８に抗して押し込むと下端面２９で受け部３０を押してハンドル係止部材１５をばね２３に抗して後退させ、係止部１２から離れる。
【００２３】
駆動部５０は引外し部材３９に設けられ、ハンドル係止部材１５の後端部に設けた第２受け部５１に対向する。引外し部材３９が異常電流検出装置２０によって駆動されたときに第２受け部５１を押してハンドル係止部材１５をその付勢力に逆らって係止部１７との係止状態を解除する方向に駆動する。
【００２４】
図１はハンドル２がオフ位置にある状態であり、可動接触子８は固定接点６から開離している。このとき、ハンドル係止部材１５はばね２３により先端が本体１０に接近した状態に進出し、ストッパ部２４によって支持されている。このとき、第２受け部５１は駆動部５０に接近する。本体１０の器体１からの露出面には図１（ｂ）に示すように「ＯＦＦ」の表示が現れる。
【００２５】
図２はハンドル２をオフ位置の状態からオン位置へ回動した状態である。このとき、開閉・トリップ機構３により可動接触子８の可動接点１０が固定接点６に接触する。すなわち、ハンドル２の回動によりリンク３６を介して、ラッチ部３７に一端がラッチされたラッチ部材３９が引き下げられ、クロスバー４０が付勢手段４１に抗してオン方向に回動し、可動接触子８の可動接点１０が固定接点６に接触すると同時に、リンク３６が反転位置となる。またハンドル２の回動により係止部１２がハンドル係止部材１５の傾斜面２６を押してハンドル係止部材１５の先端を乗り越える。ハンドル係止部材１５はばね２３により一端後退した後係止部１２が通りすぎると進出状態に復帰し、ストッパ部２４に係止する。このため、ハンドル２はオン位置からオフ位置への回動がロックされる。本体１０の器体１からの露出面には図２（ｂ）に示すように「ＯＮ ＬＯＣＫ」の表示が現れる。
【００２６】
この状態で解除部材１６を押し込むと、解除部材１６で受け部３０が押されてハンドル係止部材１５が後退し係止部１２から離れるのでロック解除となり、ハンドル２をオフ方向に回動可能となる。解除部材１６の押し込みを解除すると解除部材１６はばね２８によりまたハンドル係止部材１５はばね２３により図２の状態に復帰する。
【００２７】
図３は図２のオン状態で異常電流が流れてトリップした状態である。まず、異常電流検出装置２０により引外し部材３９を駆動する。これにより引外し部材３９のラッチ部３７がラッチ部材３５を引外し、クロスバー４０がばね４１により回動し、可動接触子８の可動接点７が固定接点６から開離する。これと同時に引外し部材３９が駆動されることにより駆動部５０で第２受け部５１を押し、ハンドル係止部材１５が係止部１２から離れる。ハンドル２はハンドル復帰ばね１４により中立位置に移動する。
【００２８】
この発明の第２の実施の形態を図４から図６により説明する。第１の実施の形態の駆動部５０および第２受け部５１に代えて、回転体５３を追加している。回転体５３は、器体１に回動自在に支持されて回動支点５７よりも一方側に解除部材１６を連結するとともに回動支点５７よりも他方側にクロスバー４０を連結し、クロスバー４０が接点開極位置にあるときに解除部材１６を介してハンドル係止部材１５をその付勢力に逆らって係止部１２との係止状態解除方向に駆動する。
【００２９】
解除部材１６は、器体１の上面から外部に突出する形で付勢された状態で器体１の上下方向に移動自在に配設され、解除部材１６をその付勢力に逆らって器体１内に移動させたときにハンドル係止部材１５をハンドル２の本体１０から離れる方向に駆動する。そして解除部材１６と回転体５０とを連結体５４で連接し、回転体５３に、解除部材１６を器体１内の方向に押圧操作した際、回転体５３が回転しない位置まで連結体５４を遊挿する遊挿孔５５を形成している。なお回転体５３とクロスバー４０との間も連結体５６で連接している。その他の構成は、可動接点７および固定接点６と異常電流検出装置２０が内部電路上で図で左右逆に配置され、可動接触子８の向きおよび付勢手段４１の引き方向が反対であるほか、第１の実施の形態と同様である。
【００３０】
図４はオフ状態であり、クロスバー４０は軸４０ａを中心に開極方向に回動しており、これにより回転体５３を図４で時計回りに回動させ連結体５４を介して駆動部材１６を器具内方向へ移動させてハンドル係止部材１５の受け部３０を押し、ハンドル係止部材１５を後退させてハンドル２のオンロックを解除している。解除部材１６は器体１内に引き込まれている。
【００３１】
図５はオン状態であり、図４のオフ状態からハンドル２をオン側に倒した状態である。このとき、ラッチ部３７に一端が係止したラッチ部材３５がリンク３６を介して押下げられ、ラッチ部材３５に押されてクロスバー４０が軸４０ａを中心に回動し、可動接触子８の可動接点７が固定接点６に接触している。クロスバー４０の回動により回転体５３が反時計回りに回動し、解除部材１６がばね２８により復帰し、器体１より外部に突出するとともに、ハンドル係止部材１５がばね２３によりハンドル２の本体１０に接近し、ストッパ部２４に係止する。このとき、ハンドル２の係止部１２がハンドル係止部材１５を乗り越え、ハンドル２がオンロックされる。
【００３２】
図６はオン状態で異常電流が流れることによりトリップした状態である。異常電流検出装置２０が動作し、引外し部材３９が駆動されてラッチ部材３５をラッチ部３７によって引き外すことによりクロスバー４０が反時計回りに回動する。このため、回転体５３が時計方向に回動し解除部材１６を引き寄せてハンドル係止部材１５を引き、係止部１２から離れ、ハンドル２はロック解除され、中立姿勢となる。
【００３３】
図７はオン状態で解除部材１６を押し込み、ハンドル２をロック解除した状態である。
このとき、解除部材１６の押し込みで受け部３０が押されてハンドル係止部材１５が後退するが、連結体５４が遊挿孔５５内を移動するため、回転体５３は軸５７の回りを回動せず、そのたぬクロスバー４０が回動せず可動接触子８はオン状態を維持する。そしてハンドル２はオフ操作が可能となる。
【００３４】
なお、この発明において、解除部材１６に遊挿孔５５を形成してもよい。またハンドル係止部材１５の先端の傾斜面２６はなくても係止部１２は乗り越えるように構成することが可能である。また傾斜面２６をハンドル係止部材１５ではなく係止部１２に設けることができる。
【図面の簡単な説明】
【００３５】
【図１】（ａ）はこの発明の第１の実施の形態のオフ状態の部分断面側面図、（ｂ）は平面図である。
【図２】（ａ）はオン状態の部分断面側面図、（ｂ）は平面図である。
【図３】（ａ）はトリップ状態の部分断面側面図、（ｂ）は平面図である。
【図４】（ａ）は第２の実施の形態のオフ状態の部分断面側面図、（ｂ）は平面図である。
【図５】（ａ）はオン状態の部分断面側面図、（ｂ）は平面図である。
【図６】（ａ）はトリップ状態の部分断面側面図、（ｂ）は平面図である。
【図７】（ａ）は解除部材を押したオン状態の部分断面側面図、（ｂ）は平面図である。
【符号の説明】
【００３６】
１    器体
２    ハンドル
３    開閉・トリップ機構
６    固定接点
７    可動接点
８    可動接触子
１０    本体
１１    把手
１２    係止部
１５    ハンドル係止部材
１６    解除部材
２０    異常電流検出装置
２３    ばね
２４    ストッパ部
２８    ばね
３０    受け部
３５    ラッチ部材
３６    リンク
３７    ラッチ部
３９    引外し部材
４０    クロスバー
４１    付勢手段
５０    駆動部
５１    第２受け部
５３    回転体
５５    遊挿孔
【図１】
2005209510.tif 000003
【図２】
2005209510.tif 000004
【図３】
2005209510.tif 000005
【図４】
2005209510.tif 000006
【図５】
2005209510.tif 000007
【図６】
2005209510.tif 000008
【図７】
2005209510.tif 000009